(57)【要約】【課題】電気光学装置への意図しない光の入射を抑制し、画質を向上させる。【解決手段】電気光学装置（１）は、画素領域（１０ａ）で電気光学動作を行う電気光学パネル（１００）と、少なくとも、電気光学パネルの光の入射側の面に貼り合わされた防塵用基板（２１０）とを備える。防塵用基板は、該防塵用基板上で平面的に見て、画素領域の周辺に位置する周辺領域の少なくとも一部に溝部（２１１）を有する。溝部を構成する一の壁面（２１１ａ）は光の入射方向に対して傾いており、一の壁面上に、金属膜（２１２）が形成されている。【選択図】図６
2010175889.tif 000002
【特許請求の範囲】
【請求項１】
画素領域で電気光学動作を行う電気光学パネルと、
少なくとも、前記電気光学パネルの光の入射側の面に貼り合わされた防塵用基板と
を備え、
前記防塵用基板は、前記防塵用基板上で平面的に見て、前記画素領域の周辺に位置する周辺領域の少なくとも一部に溝部を有し、
前記溝部を構成する一の壁面は前記光の入射方向に対して傾いており、
前記一の壁面上に、金属膜が形成されている
ことを特徴とする電気光学装置。
【請求項２】
前記画素領域に対応する開口部を有すると共に、前記電気光学パネル及び前記防塵用基板を、周縁部側から包囲するフレームを更に備え、
前記フレームの前記防塵用基板の側面に対向する面は、少なくとも部分的に反射防止処理が施されている
ことを特徴とする請求項１に記載の電気光学装置。
【請求項３】
前記溝部は、前記防塵用基板の前記電気光学パネルに対向する側に形成されていることを特徴とする請求項１又は２に記載の電気光学装置。
【請求項４】
請求項１乃至３のいずれか一項に記載の電気光学装置を備えることを特徴とする電子機器。
【発明の詳細な説明】
【技術分野】
【０００１】
本発明は、例えば液晶装置等の電気光学装置、及びこれを備えてなる、例えば液晶プロジェクター等の電子機器の技術分野に関する。
【背景技術】
【０００２】
この種の電気光学装置の一例である液晶パネルを、液晶プロジェクターにおけるライトバルブとして用いる場合、ライトバルブの表面にごみや埃等（以下、適宜“粉塵”と称する）が付着すると、映写幕上にその粉塵の像もまた投影されてしまうことで、画像の品質を低下させるおそれがある。このため、液晶パネルを構成する基板の外表面に防塵用のガラス板が設けられることが多い（特許文献１参照）。
【０００３】
また、この種の装置では、意図しない光漏れを防止するために、防塵用のガラス板に見切りパターンが設けられることが多い。
【先行技術文献】
【特許文献】
【０００４】
【特許文献１】特開平９−１１３９０６号公報
【発明の概要】
【発明が解決しようとする課題】
【０００５】
しかしながら、上述の背景技術によれば、例えば見切りパターンに対して斜めに入射した光が、該見切りパターンで反射され、例えば電気光学装置を収容するケース等の他の部材により再反射され、再び電気光学装置に入射する可能性がある。すると、例えば表示ムラ等が発生し、画像の品質が低下する可能性があるという技術的問題点がある。
【０００６】
本発明は、例えば上記問題点に鑑みてなされたものであり、電気光学装置への意図しない光の再入射を抑制し、画質を向上することができる電気光学装置、及びこれを備えてなる電子機器を提供することを課題とする。
【課題を解決するための手段】
【０００７】
本発明の電気光学装置は、上記課題を解決するために、画素領域で電気光学動作を行う電気光学パネルと、少なくとも、前記電気光学パネルの光の入射側の面に貼り合わされた防塵用基板とを備え、前記防塵用基板は、前記防塵用基板上で平面的に見て、前記画素領域の周辺に位置する周辺領域の少なくとも一部に溝部を有し、前記溝部を構成する一の壁面は前記光の入射方向に対して傾いており、前記一の壁面上に、金属膜が形成されている。
【０００８】
本発明の電気光学装置によれば、例えば液晶パネル等の電気光学パネルは、駆動時に、該電気光学パネル上の画素領域における表示動作等の電気光学動作を行う。ここに、「画素領域」とは、個々の画素の領域を意味するのではなく、複数の画素が平面配列された領域全体を意味し、典型的には、「画像表示領域」或いは「表示領域」に相当する。
【０００９】
例えばガラス基板等の防塵用基板は、少なくとも電気光学パネルの光の入射側の面に貼り合わされている。防塵用基板上で平面的に見て、防塵用基板は、画素領域の周辺に位置する周辺領域の少なくとも一部に溝部を有している。尚、溝部は、画素領域を、周縁部側から囲うように形成されていることが望ましい。
【００１０】
溝部を構成する一の壁面は、光の入射方向に対して傾いている。加えて、一の壁面上には、例えばクロム、アルミニウム等の金属膜が形成されている。尚、一の壁面は、典型的には、一の壁面に入射した光を、防塵用基板上で平面的に見て、画素領域とは反対側（即ち、防塵用基板の外縁側）に反射するように傾いている。
【００１１】
本願発明者の研究によれば、例えば防塵用基板上に設けられた平面的なパターンとしての見切りパターンでは、例えば該見切りパターンに斜めに入射した光が、見切りパターンで反射された後に、他の部材により再反射されて再び電気光学パネルの画素領域に入射するおそれがある。すると、例えば表示ムラ等が発生し、画質が低下することが判明している。
【００１２】
しかるに本発明では、溝部を構成する一の壁面が光の入射方向に対して傾いていると共に、一の壁面上に金属膜が形成されている。このため、該金属膜を見切りパターンの少なくとも一部として機能させれば、金属膜により反射された光が、画素領域に再び入射することを抑制することができる。この結果、例えば表示ムラ等の発生を抑制して、画質を向上することができる。
【００１３】
本発明の電気光学装置の一態様では、前記画素領域に対応する開口部を有すると共に、前記電気光学パネル及び前記防塵用基板を、周縁部側から包囲するフレームを更に備え、前記フレームの前記防塵用基板の側面に対向する面は、少なくとも部分的に反射防止処理が施されている。
【００１４】
この態様によれば、例えば電気光学パネルを電子機器に実装するための実装ケースとして機能するフレームは、画素領域に対応する開口部を有すると共に、電気光学パネル及び防塵用基板を、周縁部側から包囲する。
【００１５】
フレームの、防塵用基板の側面に対向する内表面には、少なくとも部分的に反射防止処理が施されている。ここで、「反射防止処理」とは、フレームの防塵用基板の側面に対向する内表面により光が反射される度合い（例えば、反射率）を、大なり小なり低下させる処理を意味する。反射防止処理として、例えば、フレームの内表面を黒く塗装する、フレームの内表面にケプラ処理又はセラミック処理を施す等の方法を採用することができる。
【００１６】
この態様によれば、防塵用基板の溝部を構成する一の壁面上に形成された金属膜により反射された光が、フレームの内表面により再び反射されることを抑制することができる。
【００１７】
本発明の電気光学装置の他の態様では、前記溝部は、前記防塵用基板の前記電気光学パネルに対向する側に形成されている。
【００１８】
この態様によれば、例えば当該電気光学装置の製造工程において、防塵用基板の溝部が破損すること等を防止することができ、実用上非常に有利である。加えて、フレームに電気光学パネル及び防塵用基板を格納する際に、フレームと防塵用基板との接着面を確保することができる。
【００１９】
本発明の電子機器は上記課題を解決するために、上述した本発明の電気光学装置を備える。
【００２０】
本発明の電子機器によれば、上述した本発明の電気光学装置を備えているので、高品質な表示を行うことが可能な、投射型表示装置、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。
【００２１】
また、本発明の電子機器として、例えば電子ペーパーなどの電気泳動装置、電子放出装置（Ｆｉｅｌｄ  Ｅｍｉｓｓｉｏｎ  Ｄｉｓｐｌａｙ及びＣｏｎｄｕｃｔｉｏｎ  Ｅｌｅｃｔｒｏｎ−Ｅｍｉｔｔｅｒ  Ｄｉｓｐｌａｙ）、これら電気泳動装置、電子放出装置を用いた表示装置を実現することも可能である。
【００２２】
本発明の作用及び他の利得は次に説明する実施するための形態から明らかにされる。
【図面の簡単な説明】
【００２３】
【図１】本発明の実施形態に係る液晶装置の全体構成を示す斜視図である。
【図２】図１のＡ−Ａ´線断面図である。
【図３】本発明の実施形態に係る液晶パネルのＴＦＴアレイ基板をその上に形成された各構成要素と共に対向基板の側から見た平面図である。
【図４】図３のＨ−Ｈ´線断面図である。
【図５】本発明の実施形態に係る防塵ガラスを、その上面の側から見た平面図である。
【図６】図２の一部を拡大して示す拡大断面図である。
【図７】本発明の実施形態に係る液晶装置を適用した電子機器の一例としてのプロジェクターの構成を示す平面図である。
【発明を実施するための形態】
【００２４】
以下、本発明に係る電気光学装置及び電子機器の各実施形態を図面に基づいて説明する。尚、以下の図では、各層・各部材を図面上で認識可能な程度の大きさとするため、該各層・各部材ごとに縮尺を異ならしめてある。また、以下の実施形態では、電気光学装置の一例として、駆動回路内蔵型のＴＦＴ（Ｔｈｉｎ  Ｆｉｌｍ  Ｔｒａｎｓｉｓｔｏｒ）アクティブマトリックス駆動方式の液晶装置を挙げる。
【００２５】
＜液晶装置＞
先ず、本実施形態に係る液晶装置の全体構成について、図１及び図２を参照して説明する。ここに、図１は、本実施形態に係る液晶装置の全体構成を示す斜視図であり、図２は、図１のＡ−Ａ´線断面図である。
【００２６】
図１及び図２において、液晶装置１は、液晶パネル１００、防塵ガラス２１０及び２２０、フレーム３１０並びに配線基板３２０を備えて構成されている。ここに、本実施形態に係る「液晶パネル１００」並びに「防塵ガラス２１０及び２２０」は、夫々、本発明に係る「電気光学パネル」及び「防塵用基板」の一例である。
【００２７】
ここで、液晶パネル１００の構成について、図３及び図４を参照して詳細に説明する。ここに、図３は、本実施形態に係る液晶パネルのＴＦＴアレイ基板を、その上に形成された各構成要素と共に、対向基板の側から見た平面図であり、図４は、図３のＨ−Ｈ´線断面図である。
【００２８】
図３及び図４において、液晶パネル１００では、ＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。
【００２９】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００３０】
図３において、シール材５２が配置されたシール領域の内側に並行して、画像表示領域１０ａを規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３１】
周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側にサンプリング回路７が額縁遮光膜５３に覆われるようにして設けられている。走査線駆動回路１０４は、この一辺に隣接する２辺に沿ったシール領域５２ａの内側の額縁領域に、額縁遮光膜５３に覆われるようにして設けられている。
【００３２】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００３３】
図４において、ＴＦＴアレイ基板１０上には、駆動素子である画素スイッチング用のＴＦＴや走査線、データ線等の配線が作り込まれた積層構造が形成される。この積層構造の詳細な構成については図４では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００３４】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００３５】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００３６】
遮光膜２３上に、ＩＴＯ等の透明材料からなる対向電極２１が複数の画素電極９ａと対向して形成されている。遮光膜２３上に、画像表示領域１０ａにおいてカラー表示を行うために、開口領域及び非開口領域の一部を含む領域に、図４には図示しないカラーフィルターが形成されるようにしてもよい。対向基板２０の対向面上における、対向電極２１上には、配向膜２２が形成されている。
【００３７】
尚、図３及び図４に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置１の品質、欠陥等を検査するための検査回路等を形成してもよい。
【００３８】
再び、図１及び図２に戻り、フレーム３１０は、画像表示領域１０ａ（図３参照）に対応する開口部３１１を有している。フレーム３１０は、液晶パネル１００並びに防塵ガラス２１０及び２２０を、その周縁部側から包囲している。
【００３９】
配線基板３２０は、外部回路接続端子１０２（図３参照）に電気的に接続されている。配線基板３２０上には、例えばストライプ状に複数の配線が形成されている。該複数の配線の一部に電源電圧が印加されたり、該複数の配線の他の部分に、例えば画像信号等の各種信号が供給されたりすることによって、液晶パネル１００が駆動される。
【００４０】
防塵ガラス２１０及び２２０の各々は、液晶パネル１００の外表面（即ち、図２における対向基板２０の上面、及びＴＦＴアレイ基板１０の下面）に設けられている。本実施形態では特に、防塵ガラス２１０に溝部２１１が形成されている。
【００４１】
次に、防塵ガラス２１０について、図５及び図６を参照して詳細に説明する。ここに、図５は、本実施形態に係る防塵ガラスを、その上面の側から見た平面図であり、図６は、図２の一部を拡大して示す拡大断面図である。尚、図５において、点線ａ及びｂにより囲まれた部分は、溝部２１１を示しており、点線ａにより囲まれた部分は、画像表示領域１０ａ（図３参照）に対応している。また、図５及び図６では、図３及び図４に示された詳細な部材については適宜省略し、直接関連のある部材のみ示している。
【００４２】
図５に示すように、溝部２１１は、防塵ガラス２１０上で平面的に見て、画像表示領域１０ａをその周縁部側から囲うように形成されている。溝部２１１には、後述するように金属膜が積層されており、該金属膜が見切りパターンの少なくとも一部を構成している。
【００４３】
図６に示すように、溝部２１１は、画像表示領域１０ａ側の壁面である内側壁面２１１ｂと、該内側壁面２１１ｂとは反対側の壁面である外側壁面２１１ａと、底面２１１ｃとを備えて構成されている。ここに、本実施形態に係る「外側壁面２１１ａ」は、本発明に係る「一の壁面」の一例である。
【００４４】
外側壁面２１１ａ及び底面２１１ｃの各々の面上には、例えばクロム、アルミニウム等を含んでなる金属膜２１２が積層されている。このような金属膜２１２は、例えば蒸着法等により形成すればよい。
【００４５】
図６に示すように、外側壁面２１１ａは、光の入射方向に対して傾いているため、外側壁面２１１ａに入射した光は、金属膜２１２により、フレーム３１０の内表面３１０ａに向かって反射される。ここで、内表面３１０ａには、例えば黒く塗装する等の反射防止処理が施されている。このため、金属膜２１２により反射された光が、内表面３１０ａにより再び反射され、液晶パネル１００の画像表示領域１０ａに入射することを抑制することができる。
【００４６】
このように、本実施形態では、外側壁面２１１ａが、光の入射方向に対して傾くように構成されているため、外側壁面２１１ａに入射する光の反射方向を制限することができる。この結果、平面的な見切りパターンが形成されている場合（即ち、溝部２１１が形成されていない場合）に比べて、液晶パネル１００の画像表示領域１０ａへの意図しない光の入射を抑制することができる。
【００４７】
尚、本実施形態に係る「内表面３１０ａ」は、本発明に係る「防塵用基板の側面に対向する内表面」の一例である。また、フレーム３１０と、防塵ガラス２１０（並びに、液晶パネル１００及び防塵ガラス２２０）との間には、ここでは図示しない、接着剤が充填されている。
【００４８】
＜電子機器＞
次に、図７を参照しながら、上述した液晶装置を電子機器の一例であるプロジェクターに適用した場合を説明する。上述した液晶装置１は、プロジェクターのライトバルブとして用いられている。図７は、プロジェクターの構成例を示す平面図である。
【００４９】
図７に示すように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５０】
液晶パネル１１１０Ｒ、１１１０Ｂおよび１１１０Ｇの構成は、上述した液晶装置１と同等の構成を有しており、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００５１】
ここで、各液晶パネル１１１０Ｒ、１１１０Ｂおよび１１１０Ｇによる表示像について着目すると、液晶パネル１１１０Ｒ、１１１０Ｂによる表示像は、液晶パネル１１１０Ｇによる表示像に対して左右反転することが必要となる。
【００５２】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルターを設ける必要はない。
【００５３】
尚、図７を参照して説明した電子機器の他にも、モバイル型のパーソナルコンピューターや、携帯電話、液晶テレビ、ビューファインダー型又はモニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００５４】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えてなる電子機器もまた本発明の技術的範囲に含まれるものである。
【符号の説明】
【００５５】
１…液晶装置、１００…液晶パネル、２１０、２２０…防塵ガラス、２１１…溝部、２１１ａ…外側壁面、２１１ｂ…内側壁面、２１１ｃ…底面、２１２…金属膜、３１０…フレーム
【図１】
2010175889.tif 000003
【図２】
2010175889.tif 000004
【図３】
2010175889.tif 000005
【図４】
2010175889.tif 000006
【図５】
2010175889.tif 000007
【図６】
2010175889.tif 000008
【図７】
2010175889.tif 000009